(57)【特許請求の範囲】
【請求項１】
大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填時状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、
ローディング制御部は、ディスクが装填状態に在る間に第１検出部の検出出力からディスクサイズを複数回判別し、光ディスクの装填状態でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときは第４検出部で光ディスクが排出位置に来たことが検出されるとアンローディング動作を停止させ、複数回の判別サイズが異なっているときは第３検出部と第４検出部でともに光ディスクが排出位置に来たことが検出されるとアンローディング動作を停止させるようにしたこと、
を特徴とするスロットイン式光ディスク再生装置。
【請求項２】
ローディング制御部は、光ディスクの装填でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときは第４検出部で光ディスクが排出位置に来たことが検出されるとアンローディング動作を停止させ、複数回の判別サイズが異なっているときは所定の一定時間アンローディング動作を進行させたあと、第３検出部と第４検出部でともに光ディスクが排出位置に来たことが検出されるとアンローディング動作を停止させるようにしたこと、
を特徴とする請求項１記載のスロットイン式光ディスク再生装置。
【請求項３】
ローディング制御部は、少なくとも光ディスクがローディング動作でディスク装填状態となった時点と、イジェクト操作がされた時点で第１検出部の検出出力からディスクサイズを判別するようにしたこと、
を特徴とする請求項１または２記載のスロットイン式光ディスク再生装置。
【請求項４】
大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填時状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、
ローディング制御部は、光ディスクが装填状態に在る間に第１検出部の検出出力からディスクサイズを複数回判別し、光ディスクの装填状態でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときは第４検出部で光ディスクが排出位置に来たことが検出されるとアンローディング動作を停止させ、複数回の判別サイズが異なっているときは所定の一定時間アンローディング動作を進行させたあとアンローディング動作を停止させるようにしたこと、
を特徴とするスロットイン式光ディスク再生装置。
【請求項５】
ローディング制御部は、少なくとも光ディスクがローディング動作でディスク装填状態となった時点と、イジェクト操作がされた時点で第１検出部の検出出力からディスクサイズを判別するようにしたこと、
を特徴とする請求項４記載のスロットイン式光ディスク再生装置。
【請求項６】
大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填時状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、
ローディング制御部は、光ディスクが装填状態に在る間に第１検出部の検出出力からディスクサイズを複数回判別し、光ディスクの装填状態でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときと複数回の判別サイズが異なっているときは第４検出部で光ディスクが排出位置に来たことが検出されるとアンローディング動作を停止させるようにしたこと、
を特徴とするスロットイン式光ディスク再生装置。
【請求項７】
ローディング制御部は、少なくとも光ディスクがローディング動作でディスク装填状態となった時点と、イジェクト操作がされた時点で第１検出部の検出出力からディスクサイズを判別するようにしたこと、
を特徴とする請求項６記載のスロットイン式光ディスク再生装置。
【発明の詳細な説明】
【０００１】
【発明の属する技術分野】
本発明はスロットイン式光ディスク再生装置に係り、とくに、サイズと形状が異なる光ディスクでも確実に排出できるようにしたスロットイン式光ディスク再生装置に関する。
【０００２】
【従来の技術】
直径１２ｃｍの通常のＣＤまたは直径８ｃｍのシングルＣＤをトレイに載せることなくスロット部から直接挿入可能としたスロットイン式ＣＤプレーヤが有る。従来のスロットイン式ＣＤプレーヤのスロットイン式ローディング部を中心とした構成を図１０に示す。１は前面パネルであり、１２ｃｍの通常のＣＤ２又は８ｃｍのシングルＣＤ３を出し入れするスロット部４が設けられている。ＣＤ２またはシングルＣＤ３の内、２ａまたは３ａは中心孔、２ｂまたは３ｂは信号が記録される信号記録面領域であり、光を反射する性質を持つ。２ｃまたは３ｃは中心孔２ａまたは３ａと信号記録面領域２ｂまたは３ｂの最内周との間の透明領域、２ｄまたは３ｄは信号記録面領域２ｂまたは３ｂの最外周とディスク最外周との間の狭い透明領域である。
【０００３】
５は図示しないシャーシに装備されたスピンドルモータ（図示せず）により回転される回転部としてのターンテーブルであり、中央にはＣＤ２またはシングルＣＤ３の中心孔２ａまたは３ａが着脱自在に嵌合する凸部６が形成されている。７は光ピックアップであり、ターンテーブル５に装填されて所定の線速度で回転されるＣＤ２またはシングルＣＤ３の下側をディスク半径方向に移動しながら、信号記録面領域２ｂまたは３ｂにレーザビームを照射し、反射ビームを捕らえて光検出信号を出力する。この光検出信号から図示しないヘッドアンプでＲＦ信号が生成され、更に信号処理部で音楽データの復調処理がされるようになっている。
【０００４】
１０は図示しないシャーシの上で稼働するスロットイン式ローディングメカ部、１１はスロットイン式ローディングメカ部１０と結合されて駆動力を発生するローディングモータ、１２はローディングモータ１１を駆動する駆動部であり、これら３者によりスロットイン式ローディング部が構成されている。スロットイン式ローディングメカ部１０は、ディスク排出完了状態からローディングモータ１１の正転でローディング駆動されると、スロット部４から挿入されたＣＤ２またはシングルＣＤ３を、内部のターンテーブル５の上へ移動したあと降下させ、中心孔２ａまたは３ａをターンテーブル５の凸部６に嵌合させてディスク装填状態とさせるローディング動作を行う。反対に、ディスク装填状態からローディングモータ１１の逆転でアンローディング駆動されると、ＣＤ２またはシングルＣＤ３を上昇させて中心孔２ａまたは３ａをターンテーブル５の凸部６から離脱させたあと、スロット部４の方向へ移動させるアンローディング動作を行う。
【０００５】
１３は図示しないシャーシに装備されたディスク検出部であり、一対の発光素子１４、受光素子１５から構成されている。このディスク検出部１３はターンテーブル５の中心から見て真っ直ぐスロット部４の方向にＣＤ２の半径とシングルＣＤ３の半径の中間である１０ｃｍ離れた所に設置されており、真上にＣＤ２またはシングルＣＤ３の信号記録面領域２ｂまたは３ｂが来ると、スロットイン式ローディングメカ部１０に設けられた開口（図示せず）を通して発光素子１４から出た光がＣＤ２またはシングルＣＤ３の信号記録面領域２ｂまたは３ｂで反射されたあと受光素子１５で受光され、該受光素子１５からディスク有りを示すＨレベルの検出信号Ａが出力される。ディスク検出部１３の真上にＣＤ２またはシングルＣＤ３の信号記録面領域２ｂまたは３ｂが無いとき発光素子１４から出た光が受光素子１５で受光されず、該受光素子１５からディスク無しを示すＬレベルの検出信号Ａが出力される。ディスクがターンテーブル５に装填状態にあるときのディスク検出部１３の検出出力はディスクサイズを示す（Ｈレベルのとき１２ｃｍ、Ｌレベルのとき８ｃｍ）。ＣＤ２またはシングルＣＤ３がアンローディングされる際、発光素子１４の光軸とＣＤ２またはシングルＣＤ３との交点の軌跡が中心孔２ａまたは３ａの丁度真ん中を横切るように配置されている。
【０００６】
１６はスロットイン式ローディングメカ部１０がローディング動作を完了したとき機械的に接点が閉じることで、ＣＤ２またはシングルＣＤ３のターンテーブル５に対する装填完了を検出し、Ｈレベルの検出信号Ｂを出力する装填完了検出部である。なお、ＣＤ２またはシングルＣＤ３の中心孔２ａまたは３ａは、スロットイン式ローディングメカ部１０がローディング動作を完了する前にターンテーブル５の凸部６に嵌合して装填完了状態となる。
【０００７】
１７はシャーシに装備された第１ディスク排出検出部であり、一対の発光素子１８、受光素子１９から構成されている。この第１ディスク排出検出部１７は１２ｃｍのＣＤ２が所定の排出位置に来たことを検出するためのものであり、ターンテーブル５の中心から見てスロット部４の側の斜め方向に所定距離離れた所に設置されており、アンローディング動作中、真上にＣＤ２の信号記録面領域２ｂが在る間は、スロットイン式ローディングメカ部１０に設けられた開口（図示せず）を通して発光素子１８から出た光がＣＤ２の信号記録面領域２ｂで反射されたあと受光素子１９で受光され、該受光素子１９からディスクが排出位置に来ていないことを示すＨレベルの検出信号Ｃが出力される。アンローディング動作が進み、ＣＤ２がスロット部４からほぼ半分ほど外部に出たとき、第１ディスク排出検出部１７の真上にＣＤ２の縁が来て発光素子１８の光軸上にＣＤ２の信号記録領域２ｂが無い状態になり、発光素子１８から出た光が受光素子１９で受光されず、該受光素子１９からディスクが排出位置に来たことを示すＬレベルの検出信号Ｃが出力される。
【０００８】
２０はシャーシに装備された第２ディスク排出検出部であり、一対の発光素子２１、受光素子２２から構成されている。この第２ディスク排出検出部２０は８ｃｍのシングルＣＤ３が所定の排出位置に来たことを検出するためのものであり、ターンテーブル５の中心から見てスロット部４の側の斜め方向に所定距離だけ離れた所に設置されており、アンローディング動作中、真上にシングルＣＤ３の信号記録面領域３ｂが在る間は、スロットイン式ローディングメカ部１０に設けられた開口（図示せず）を通して発光素子２１から出た光がシングルＣＤ３の信号記録面領域３ｂで反射されたあと受光素子２２で受光され、該受光素子２２からディスクが排出位置に来ていないことを示すＨレベルの検出信号Ｄが出力される。アンローディング動作が進み、シングルＣＤ３がスロット部４からほぼ半分ほど外部に出たとき、第２ディスク排出検出部２０の真上にシングルＣＤ３の縁が来て発光素子２１の光軸上にシングルＣＤ３の信号記録面領域３ｂが無い状態になり、発光素子２１から出た光が受光素子２２で受光されず、該受光素子２２からディスクが排出位置に来たことを示すＬレベルの検出信号Ｄが出力される。
【０００９】
２３はイジェクト操作を行うためのイジェクトキー、ＰＬＡＹキー、ＳＴＯＰキーなど各種操作キーを有する操作部、２４はプレーヤの全体的な制御を司るマイコン構成のコントロール部であり、ディスク非装填状態でＣＤ２またはシングルＣＤ３がスロット部４から挿入されたとき、スロットイン式ローディング部を制御してローディング動作を行わせ、反対にディスク装填状態でイジェクトキーが押されてイジェクト操作がされたとき、スロットイン式ローディング部を制御してアンローディング動作を行わせる。また、コントロール部２４はディスク装填状態でＰＬＡＹキーが押されるとスピンドルモータによりターンテーブル４を回転させながら、光ピックアップ７、図示しないヘッドアンプ及び信号処理部から成る再生系を制御してＣＤ２またはシングルＣＤ３の再生を行わせる。
【００１０】
図１１と図１２はコントロール部２４の制御処理を示すフローチャート、図１３〜図１８はローディング／アンローディング動作の説明図であり、以下、これらの図を参照してスロットイン式ＣＤプレーヤにおけるローディング／アンローディング動作を説明する。なお、最初、図１０に示す如くＣＤ２またはシングルＣＤ３がターンテーブル５に未装填状態であり、Ａ〜ＤがいずれもＬレベルになっているものとする。
【００１１】
ユーザがＣＤ２またはシングルＣＤ３をスロット部４から挿入し、信号記録面領域２ｂまたは３ｂがディスク検出部１３の上に来て発光素子１４から発射された光が受光素子１５で受光されると、該受光素子１５からディスク在りを示すＨレベルの検出信号Ａが出力される（図１３（１）または図１６（１）参照）。コントロール部２４は検出信号ＡがＨレベルに成るとディスクが挿入されたと判断し（図１１のステップＳ１０でＹＥＳ）、駆動部１２を制御してローディングモータ１１を一定速度で正転させ、スロットイン式ローディングメカ部１０をローディング駆動させる（ステップＳ１１）。これにより、ＣＤ２またはシングルＣＤ３はスロット部４からターンテーブル５に移動され、中心孔２ａまたは３ａが凸部６に嵌合する（図１３（２）または図１６（２）参照。この際、スロットイン式ローディングメカ部１０に連動した図示しないチャッキングメカ部によりＣＤ２またはシングルＣＤ３がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００１２】
コントロール部２４は検出信号ＢがＨレベルに成るとディスク装填が完了したと判断し（ステップＳ１２でＹＥＳ）、駆動部１２を制御してローディングモータ１１を停止させ、スロットイン式ローディングメカ部１０に対するローディング駆動を停止させ、スロットイン式ローディングメカ部１０のローディング動作を停止させる（ステップＳ１３）。このとき、ディスク検出部１３から入力された検出信号Ａをチェックして今回装填されたディスクのサイズを判別し、判別結果をＳＩＺＥデータとして記憶しておく（ステップＳ１４）。具体的にはＡがＨレベルとなっていたときは、ＳＩＺＥデータ＝１２ｃｍとして記憶し、ＡがＬレベルとなっていたときは、ＳＩＺＥデータ＝８ｃｍとして記憶しておく。このようにしてＣＤ２のターンテーブル５への装填が完了したとき、第１ディスク排出検出部１７と第２ディスク排出検出部２０の真上に信号記録面領域２ｂが来て、発光素子１８から発射された光が受光素子１９で受光され、該受光素子１９からＨレベルの検出信号Ｃが出力され、同様に、発光素子２１から発射された光が受光素子２２で受光され、該受光素子２２からＨレベルの検出信号Ｄが出力される（図１３（２）参照）。シングルＣＤ３のターンテーブル５への装填が完了したとき、第１ディスク排出検出部１７の真上には信号記録面領域３ｂが来ずに、第２ディスク排出検出部２０の真上に信号記録面領域３ｂが来て、発光素子１８から発射された光が受光素子１９で受光されず、該受光素子１９からＬレベルの検出信号Ｃが出力され、発光素子２１から発射された光が受光素子２２で受光され、該受光素子２２からＨレベルの検出信号Ｄが出力される（図１６（２）参照）。
【００１３】
このあと、操作部２３でＰＬＡＹキーが押されるとコントロール部２４はスピンドルモータによりターンテーブル５を回転させ、光ピックアップ７、図示しないヘッドアンプ、信号処理部の再生系によりＣＤ２またはシングルＣＤ３を先頭から再生させ、ＣＤ２またはシングルＣＤ３の最後まで再生が終わるか、ＳＴＯＰキーが押された所で再生を停止させる（ステップＳ１５〜Ｓ１９）。
【００１４】
ディスクの再生停止中にユーザがターンテーブル５に装填状態に在るＣＤ２またはシングルＣＤ３を取り出したいとき、操作部２３のイジェクトキーを押し、イジェクト操作を行う。すると、コントロール部２４はステップＳ２０でＹＥＳと判断し、図１２のフローへ進む。なお、ディスクの再生中にイジェクト操作がされたときは、再生を停止させたあと図１２のフローへ進む（ステップＳ２１でＹＥＳ、Ｓ２２）。図１２のフローではまず駆動部１２を制御してローディングモータ１１を一定速度で逆転させ、スロットイン式ローディングメカ部１０をアンローディング駆動を開始させる（ステップＳ３０）。最初、スロットイン式ローディングメカ部１０のアンローディング動作と連動してチャッキングメカ部によるチャッキングが解除する。続いて、スロットイン式ローディングメカ部１０のアンローディング動作により、ＣＤ２またはシングルＣＤ３が上昇して中心孔２ａまたは２ｂがターンテーブル５の凸部６から外れる（この段階で装填完了検出部１６の接点が開き、検出信号ＢはＬレベルに落ちる）。次に、ＣＤ２またはシングルＣＤ３がスロット部４の方向に真っ直ぐ移動していく。
【００１５】
コントロール部２４はステップＳ３０のあと、ディスク装填時に判別して記憶しておいたＳＩＺＥデータが１２ｃｍであれば、第１ディスク排出検出部１７の検出信号Ｃがディスクが排出位置に来たことを示すＬレベルになるのを待ち（ステップＳ３１、Ｓ３２）、ＣがＬレベルになったところで１２ｃｍのＣＤ２の排出完了と判断し（図１４（１）参照）、更に１３０  ｍｓ経過するのを待ったあと駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ３４、Ｓ３５）。これにより、１２ｃｍのＣＤ２の排出が完了し、ほぼＣＤ２の半分がスロット部４から外部に出た状態となる（図１４（２）参照）。このとき、ディスク検出部１３と第２ディスク排出検出部２０の上には信号記録面領域２ｂが来ており、検出信号ＡとＤがＨレベルとなるようになっている。
【００１６】
これと異なり、ディスク装填時に判別して記憶しておいたＳＩＺＥデータが８ｃｍであれば、第２ディスク排出検出部２０の検出信号Ｄがディスクが排出位置に来たことを示すＬレベルになるのを待ち（ステップＳ３１、Ｓ３３）、ＤがＬレベルになったところで８ｃｍのシングルＣＤ３の排出完了と判断し（図１７（１）参照）、更に１３０  ｍｓ経過するのを待ったあと駆動部１２を制御してローディングモータ１１を停止させ、スロットイン式ローディングメカ部１０のアンローディング動作を停止させる（ステップＳ３４、Ｓ３５）。これにより、８ｃｍのシングルＣＤ３の排出が完了し、ほぼシングルＣＤ３の半分がスロット部４から外部に出た状態となる（図１７（２）参照）。このとき、ディスク検出部１３の上には信号記録面領域３ｂが来ており、検出信号ＡがＨレベルとなるようになっている。
【００１７】
ＣＤ２またはシングルＣＤ３の排出を完了したあと、コントロール部２４はディスク検出部１３と第１ディスク排出検出部１７と第２ディスク排出検出部２０からの検出信号ＡとＣとＤが全てＬレベルになったかのチェックと、第１ディスク排出検出部１７又は第２ディスク排出検出部２０からの検出信号Ｃ又はＤがＬレベルからＨレベルに立ち上がったかのチェックを繰り返す（ステップＳ３６、Ｓ３７）。ユーザが排出完了後のＣＤ２またはシングルＣＤ３をスロット部４から取り出すと、少なくとも検出信号ＡまたはＤまたはＣのいずれか１つがディスク無しを示すＬレベルになるので、コントロール部２４はステップＳ３６でＹＥＳと判断し、図１１のステップＳ１０に戻り、新たなＣＤ２またはシングルＣＤ３が挿入されるのを待つ。
若し、ユーザが一度排出されたＣＤ２またはシングルＣＤ３を再度聴取するため、ＣＤ２またはシングルＣＤ３をスロット部４の中に押し込み、ＣＤ２またはシングルＣＤ３の信号記録面領域２ｂまたは３ｂが第１ディスク排出検出部１７または第２ディスク排出検出部２０の上に来たとき、検出信号ＣまたはＤのいずれかがＬレベルからＨレベルに立ち上がる（図１５または図１８参照）。すると、コントロール部２４はステップＳ３７でＹＥＳと判断し、図１０のステップＳ１１に進んで、前述と全く同様にしてローディング動作を行わせる。
【００１８】
【発明が解決しようとする課題】
ところで、ＣＤの中には図１９（１）の符号３０に示す如く、信号は８ｃｍのシングルＣＤ３と同じ範囲にしか記録されていないが、サイズは通常のＣＤ２と同じ１２ｃｍのクールＣＤと称せられている規格外のものが有る。このクールＣＤ３０でも中心にはターンテーブル５の凸部６と着脱自在に嵌合する中心孔３０ａが開いている。そして、中心孔３０ａの外側で半径２０ｍｍまでが透明領域３０ｃ、透明領域３０ｃの外側で半径３８ｍｍまでが信号記録面領域３０ｂとなっており、この信号記録面領域３０ｂの外側が全て透明領域３０ｄとなっている。
【００１９】
このクールＣＤ３０を上記したスロットイン式ＣＤプレーヤに挿入した場合、信号記録面領域３０ｂがディスク検出部１３の上に来て検出信号ＡがＨレベルになると（図２０（１）参照）、あとはコントロール部２４の制御で１２ｃｍの通常のＣＤ２とほぼ同様にローディング動作が行われて図２０（２）の如くディスク装填状態となるが、ディスク装填完了時のサイズ判別ではディスク検出部１３の上に透明領域３０ｄが来ているので、発光素子１４から発射した光が反射されず受光素子１５に入射しないため、ＳＩＺＥデータが８ｃｍとなる。よって、アンローディング動作は８ｃｍのシングルＣＤ３とほぼ同様になされ、アンローディング動作停止時は図２１如くなり、スロット部４から一部が外に出るので、ユーザはクールＣＤ３０を取り出し可能となる。
【００２０】
けれども、クールＣＤの中には図１９（２）の符号３１に示す如く、中心にはターンテーブル５の凸部６と着脱自在に嵌合する中心孔３１ａが開いており、中心孔３１ａの外側で半径２０ｍｍまでが透明領域３１ｃ、透明領域３１ｃの外側で半径３８ｍｍまでが信号記録面領域３１ｂ、この信号記録面領域３１ｂの外側が全て透明領域３１ｄとなっており、更に、上面側に透明領域３１ｃや３１ｄの上まではみ出してラベル３２が貼られたものがある。
【００２１】
ラベル３２は光に対し反射面として働くので、クールＣＤ３１を上記したスロットイン式ＣＤプレーヤに挿入した場合、信号記録面領域３１ｂまたはラベル３２がディスク検出部１３の上に来て検出信号ＡがＨレベルになると（図２２（１）参照）、あとはコントロール部２４の制御で１２ｃｍの通常のＣＤ２とほぼ同様にローディング動作が行われる。ここで例えば図２２（２）の如くディスク装填状態となったとき、ディスク装填完了時のサイズ判別ではディスク検出部１３の上にラベル３２が来ているため、発光素子１４から発射した光が反射されて受光素子１５に入射するので、ＳＩＺＥデータが１２ｃｍとなってしまう。すると、アンローディング動作は１２ｃｍのＣＤ２と同様に第１ディスク排出検出部１７でディスクが排出位置に来たことが検出されて検出信号ＣがＬレベルになったあと、１３０  ｍｓ経過した時点で停止されることになる。例えば、イジェクト操作時点でのクールＣＤ３１の状態が図２３（１）の如くなっており、ディスク検出部１３の上にラベル３２が来ていなかった場合、アンローディング動作開始後、直ぐにアンローディング動作が停止してしまうので、クールＣＤ３１はセットの中に入ったままとなり、取り出せなくなってしまうという不都合が生じていた（図２３（２）参照）。ラベル３２の貼られた領域に、ラベルの代わりに絵が描かれていた場合も全く同様の問題が生じていた。
本発明は上記した従来技術の問題に鑑み、規格外れの光ディスクを挿入しても取り出し不能とならないようにできるスロットイン式光ディスク再生装置を提供することを、その目的とする。
【００２２】
【課題を解決するための手段】
本発明の請求項１記載のスロットイン式光ディスク再生装置では、大小２種類のサイズの光ディスクを出し入れするスロット部と、光ディスクの記録信号を読み取り可能とするために回転する回転部と、スロット部から回転部へ光ディスクを移動させるローディング動作及び回転部からスロット部へ光ディスクを移動させるアンローディング動作をするスロットイン式ローディング部と、光ディスクのサイズを検出するための第１検出部と、スロットイン式ローディング部のローディング動作で光ディスクが回転部に装填状態になったことを検出する第２検出部と、スロットイン式ローディング部のアンローディング動作で大サイズの光ディスクが所定の排出位置に来たことを検出するための第３検出部と、スロットイン式ローディング部のアンローディング動作で小サイズの光ディスクが所定の排出位置に来たことを検出するための第４検出部と、光ディスク未装填時状態でスロット部から光ディスクが挿入されるとスロットイン式ローディング部を制御してローディング動作を開始させ、第２検出部で光ディスクが回転部に装填状態になったことが検出されるとローディング動作を停止させ、反対に光ディスク装填状態でイジェクト操作部でイジェクト操作がされると、スロットイン式ローディング部を制御してアンローディング動作を開始させ、第３検出部と第４検出部の内、第１検出部で検出されたディスクサイズに応じた側でディスクが排出位置に来たことが検出されるとアンローディング動作を停止させるローディング制御部と、を含むスロットイン式光ディスク再生装置において、ローディング制御部は、光ディスクが装填状態に在る間に第１検出部の検出出力からディスクサイズを複数回判別し、光ディスクの装填状態でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときは第４検出部で光ディスクが排出位置に来たことが検出されるとアンローディング動作を停止させ、複数回の判別サイズが異なっているときは第３検出部と第４検出部でともに光ディスクが排出位置に来たことが検出されるとアンローディング動作を停止させるようにしたこと、を特徴としている。
請求項１記載のスロットイン式光ディスク再生装置によれば、ディスクが装填状態に在る間に複数回ディスクサイズを判別する。イジェクト操作に従い、光ディスクのアンローディング動作をする際、複数回の判別結果がいずれも大サイズであったとき、実際のディスクサイズが大サイズでありかつ外周側がディスク検出可能な部分となっている場合が多いので、大サイズ用の第４検出部でディスクが排出位置に来たことが検出されるとアンローディング動作を停止させることで、スロット部から外側への排出量を大サイズの光ディスクに適した量とできる。反対に、複数の判別結果がいずれも小サイズであったとき、実際のディスクサイズが小サイズであるか、または実際のディスクサイズは大サイズであるが外周側がディスク検出不能な部分となっている規格外のディスクと考えられるので、小サイズ用の第３検出部でディスクが排出位置に来たことが検出されるとアンローディング動作を停止させることで、実際のディスクサイズが小サイズであれば、スロット部から外側への排出量を小サイズの光ディスクに適した量とでき、実際のディスクサイズが大サイズであってもスロット部から外側へ一定量を確実に排出でき、ユーザが取り出し不能とならないようにできる。
これと異なり、複数の判別結果が異なっていた場合、実際のディスクサイズは大サイズであるが外周側にディスク検出可能な部分とディスク検出不能な部分のいずれも存在する規格外のディスクと考えられるので、大サイズ用の第３検出部と小サイズ用の第４検出部の両方で光ディスクが排出位置に来たことが検出されるとアンローディング動作を停止させることで、スロット部から外側へ一定量を確実に排出でき、ユーザが取り出し不能となるのを回避できる。
本発明の請求項２記載のスロットイン式光ディスク再生装置では、請求項１記載の装置において、ローディング制御部は、光ディスクの装填でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときは第４検出部で光ディスクが排出位置に来たことが検出されるとアンローディング動作を停止させ、複数回の判別サイズが異なっているときは所定の一定時間アンローディング動作を進行させたあと、第３検出部と第４検出部でともに光ディスクが排出位置に来たことが検出されるとアンローディング動作を停止させるようにしたこと、を特徴としている。
請求項２記載のスロットイン式光ディスク再生装置によれば、複数回の判別サイズが異なっているときは所定の一定時間アンローディング動作を進行させたあと、第３検出部と第４検出部でともに光ディスクが排出位置に来たことが検出されるとアンローディング動作を停止させる。２回の判別結果が異なっていた場合、実際のディスクサイズは大サイズであるが外周側にディスク検出可能な部分とディスク検出不能な部分のいずれも存在する規格外のディスクと考えられるので、まず、所定の一定時間アンローディング動作を進行させることで或る程度の排出量を確保できるようにしたあと、大サイズ用の第３検出部と小サイズ用の第４検出部の両方で光ディスクが排出位置に来たことが検出されるとアンローディング動作を停止させることで、より確実にスロット部から外側に排出させることができ、ユーザが取り出し不能となるのを回避できる。
請求項３記載のスロットイン式光ディスク再生装置では、請求項１または２記載の装置において、ローディング制御部は、少なくとも光ディスクがローディング動作でディスク装填状態となった時点と、イジェクト操作がされた時点で第１検出部の検出出力からディスクサイズを判別するようにしたこと、を特徴としている。これにより、複数回のディスクサイズ判別時の光ディスクの向きが異なっている確率が高くなり、判別結果が光ディスクが規格に則ったディスクか、規格外のディスクかを反映する確率が高くなるので、より確実にスロット部から外側に排出させることができる。
本発明の請求項４記載のスロットイン式光ディスク再生装置では、ローディング制御部は、光ディスクが装填状態に在る間に第１検出部の検出出力からディスクサイズを複数回判別し、光ディスクの装填状態でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときは第４検出部で光ディスクが排出位置に来たことが検出されるとアンローディング動作を停止させ、複数回の判別サイズが異なっているときは所定の一定時間アンローディング動作を進行させたあとアンローディング動作を停止させるようにしたこと、を特徴としている。
請求項４記載のスロットイン式光ディスク再生装置によれば、複数回の判別結果が異なっていた場合、実際のディスクサイズは大サイズであるが外周側にディスク検出可能な部分とディスク検出不能な部分のいずれも存在する規格外のディスクと考えられるので、所定の一定時間アンローディング動作を進行させることで或る必要な排出量を確保させることができ、ユーザが取り出し不能となるのを回避できる。
請求項５記載のスロットイン式光ディスク再生装置では、請求項４記載の装置において、ローディング制御部は、少なくとも光ディスクがローディング動作でディスク装填状態となった時点と、イジェクト操作がされた時点で第１検出部の検出出力からディスクサイズを判別するようにしたこと、を特徴としている。これにより、複数回のディスクサイズ判別時の光ディスクの向きが異なっている確率が高くなり、判別結果が光ディスクが規格に則ったディスクか、規格外のディスクかを反映する確率が高くなるので、より確実にスロット部から外側に排出させることができる。
本発明の請求項６記載のスロットイン式光ディスク再生装置では、ローディング制御部は、光ディスクが装填状態に在る間に第１検出部の検出出力からディスクサイズを複数回判別し、光ディスクの装填状態でイジェクト操作部でイジェクト操作がされると、スロットイン式ローディング部を制御してアンローディング動作を開始させ、複数回の判別サイズがいずれも大のときは第３検出部で光ディスクが排出位置に来たことが検出されるとアンローディング動作を停止させ、複数回の判別サイズがいずれも小のときと複数回の判別サイズが異なっているときは第４検出部で光ディスクが排出位置に来たことが検出されるとアンローディング動作を停止させるようにしたこと、を特徴としている。
請求項６記載のスロットイン式光ディスク再生装置によれば、ディスク装填完了時に１回目のディスクサイズの判別をするとともに、イジェクト操作時にも２回目のディスクサイズ判別をする。そして、複数回の判別結果が異なっていた場合、実際のディスクサイズは大サイズであるが外周側にディスク検出可能な部分とディスク検出不能な部分のいずれも存在する規格外のディスクと考えられるので、内周側に存在するディスク検出可能な部分を利用するため、小サイズ用の第４検出部で光ディスクが排出位置に来たことが検出されるとアンローディング動作を停止させることで、規格外のディスクであっても確実にスロット部から外側に一定量排出させることができ、ユーザが取り出し不能となるのを回避できる。請求項７記載のスロットイン式光ディスク再生装置では、請求項６記載の装置において、ローディング制御部は、少なくとも光ディスクがローディング動作でディスク装填状態となった時点と、イジェクト操作がされた時点で第１検出部の検出出力からディスクサイズを判別するようにしたこと、を特徴としている。これにより、複数回のディスクサイズ判別時の光ディスクの向きが異なっている確率が高くなり、判別結果が光ディスクが規格に則ったディスクか、規格外のディスクかを反映する確率が高くなるので、より確実にスロット部から外側に排出させることができる。
【００２３】
【発明の実施の形態】
次に、本発明の一つの実施の形態を図１を参照して説明する。
図１は本発明に係るスロットイン式ＣＤプレーヤの構成図であり、図１０と同一の構成部分には同一の符号が付してある。
２４Ａはプレーヤの全体的な制御を司るマイコン構成のコントロール部であり、ディスク未装填状態で直径１２ｃｍの通常のＣＤ（図１０の符号２参照）、直径８ｃｍのシングルＣＤ３、直径は１２ｃｍであるが信号記録領域はシングルＣＤと同じ範囲のクールＣＤ３１（または図１９の符号３１参照）など各種のＣＤがスロット部４から挿入されたとき、スロットイン式ローディングメカ部１０、ローディングモータ１１、駆動部１２から成るスロットイン式ローディング部を制御してローディング動作を行わせ、ターンテーブル５に装填させる。反対にディスク装填状態でイジェクトキーが押されてイジェクト操作がされたとき、スロットイン式ローディング部を制御してアンローディング動作を行わせ、所定位置に排出させる。また、コントロール部２４Ａはディスク装填状態でＰＬＡＹキーが押されるとスピンドルモータによりターンテーブル５を回転させながら、光ピックアップ７、図示しないヘッドアンプ及び信号処理部から成る再生系を制御してディスクの再生を行わせる。
【００２４】
コントロール部２４Ａは、ディスクをターンテーブル５に装填させた時、一度ディスク検出部１３の検出出力からディスクサイズを判別して記憶しておく。そして、イジェクト操作がされた時再度、ディスク検出部１３の検出出力からディスクサイズを判別し、２回の判別結果が同じ１２ｃｍの大サイズ（８ｃｍの小サイズ）であれば、アンローディング動作を第１ディスク排出検出部１７（第２ディスク排出検出部２０）でディスクが排出位置に来たことが検出されると停止させる。若し、２回の判別結果が異なっていた場合、第１ディスク排出検出部１７と第２ディスク排出検出部２０でともにディスクが排出位置に来たことが検出されるとアンローディング動作を停止させる。
図１のその他の構成部分は図１０と全く同様に構成されている。
【００２５】
図２と図３はコントロール部２４Ａの制御処理を示すフローチャート、図４〜図６はアンローディング動作の説明図であり、以下、これらの図を参照してスロットイン式ＣＤプレーヤにおけるローディング／アンローディング動作を説明する。なお、最初、ターンテーブル５はディスク未装填状態であり、Ａ〜ＤがいずれもＬレベルになっているものとする。
【００２６】
（１）信号記録面領域以外に光を反射する部分が無いクールＣＤ３０の場合
ユーザが図１９（１）に示すクールＣＤ３０をスロット部４から挿入し、信号記録面領域３０ｂがディスク検出部１３の上に来て発光素子１４から発射された光が受光素子１５で受光されると、該受光素子１５からディスク在りを示すＨレベルの検出信号Ａが出力される（図２０（１）参照）。コントロール部２４Ａは検出信号ＡがＨレベルに成るとディスクが挿入されたと判断し（図２のステップＳ４０でＹＥＳ）、駆動部１２を制御してローディングモータ１１を一定速度で正転させ、スロットイン式ローディングメカ部１０に対するローディング駆動を開始させ、スロットイン式ローディングメカ部１０のローディング動作を開始させる（ステップＳ４１）。これにより、クールＣＤ３０はスロット部４からターンテーブル５に移動され、中心孔３０ａが凸部６に嵌合してディスク装填状態となる（図２０（２）参照。この際、スロットイン式ローディングメカ部１０に連動した図示しないチャッキングメカ部によりクールＣＤ３０がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００２７】
コントロール部２４Ａは検出信号ＢがＨレベルに成るとディスク装填が完了したと判断し（ステップＳ４２でＹＥＳ）、駆動部１２を制御してローディングモータ１１を停止させ、スロットイン式ローディングメカ部１０に対するローディング駆動を停止させ、スロットイン式ローディングメカ部１０のローディング動作を開始させる（ステップＳ４３）。このとき、ディスク検出部１３から入力された検出信号Ａをチェックして今回装填されたディスクのサイズを判別し、判別結果をＳＩＺＥ１データとして記憶しておく（ステップＳ４４）。ここでは、ディスク検出部１３の上が透明領域３０ｄなので、発光素子１４から発射された光は受光素子１５に入射せず、ＡがＬレベルとなるのでＳＩＺＥ１データ＝８ｃｍである。このようにクールＣＤ３０のターンテーブル５への装填が完了したとき、第２ディスク排出検出部２０の真上に信号記録面領域３０ｂが来て、発光素子２１から発射された光が受光素子２２で受光され、該受光素子２２からＨレベルの検出信号Ｄが出力される（図２０（２）参照）。
【００２８】
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりクールＣＤ３０を先頭から再生させ、最後まで再生が終わるか、ＳＴＯＰキーが押された所で再生を停止させる（ステップＳ４５〜Ｓ４９）。
【００２９】
再生停止後、ユーザがターンテーブル５に装填状態となっているクールＣＤ３０を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまず、その時点でディスク検出部１３から入力された検出信号Ａをチェックして現在装填済のＣＤのサイズを判別し、判別結果をＳＩＺＥ２データとして記憶する（ステップＳ６０）。ここでもＳＩＺＥ２データは８ｃｍとなる（図２０（２）参照）。そして、駆動部１２を制御してローディングモータ１１を一定速度で逆転させ、スロットイン式ローディングメカ部１０に対するアンローディング駆動を開始させ、スロットイン式ローディングメカ部１０のアンローディング動作を開始させる（ステップＳ６１）。最初、スロットイン式ローディングメカ部１０のアンローディング動作と連動してチャッキングメカ部によるチャッキングが解除する。続いて、スロットイン式ローディングメカ部１０のアンローディング動作により、クールＣＤ３０が上昇して中心孔３０ａがターンテーブル５の凸部６から外れる（この段階で装填完了検出部１６の接点が開き、検出信号ＢはＬレベルに落ちる）。次に、クールＣＤ３０がスロット部４の方向に真っ直ぐ移動していく。
【００３０】
コントロール部２４ＡはステップＳ６１のあと、ローディング動作でディスクをターンテーブル５に装填状態にした直後に判別して記憶しておいたＳＩＺＥ１データとイジェクト操作時に判別したＳＩＺＥ２データの比較を行う（ステップＳ６２、Ｓ６８）。ここではともに同じ８ｃｍなので、実際のディスクサイズが８ｃｍのシングルＣＤ（図１の符号３参照）であるか、または実際のディスクサイズが１２ｃｍのクールＣＤであるが、外周側の透明領域３０ｄにラベルや絵がなく、ディスク検出不能となっているクールＣＤ（図１９（１）の符号３０参照）と判断し、小サイズ用の第２ディスク排出検出部２０の検出信号Ｄがディスクが排出位置に来たことを示すＬレベルになるのを待つ（ステップＳ６３）。
【００３１】
ＤがＬレベルになったところでディスクが排出位置に来たと判断し、更に１３０ｍｓの待ち時間を取ったあと駆動部１２を制御してローディングモータ１１を停止させ、スロットイン式ローディングメカ部１０に対するアンローディング駆動を停止させてアンローディング動作を停止させる（ステップＳ６４、Ｓ６５）。これにより、クールＣＤ３０のほぼ半分がスロット部４から外部に排出された状態となり、ユーザが取り出し不能となることはない（図４（１）参照）。ステップＳ６４で１３０  ｍｓの待ち時間を取ることで、信号記録面領域３０ｂを第２ディスク排出検出部２０から離れた位置に来るようにし、振動が起きても誤って第２ディスク排出検出部２０がＨレベルを出力しないようにできる。アンローディング動作が停止したとき、信号記録領域３０ｂがディスク検出部１３の上に来るので、検出信号ＡはＨレベルとなる。
【００３２】
排出が完了したクールＣＤ３０を取り出すと、ディスク検出部１３がディスク無しを示すＬレベルの検出信号を出力するので、コントロール部２４ＡはステップＳ６６でＹＥＳと判断し、図２のステップＳ４０に戻る。
若し、ユーザが一度排出されたクールＣＤ３０を再度聴取するため、クールＣＤ３０をスロット部４の中に押し込み、信号記録面領域３０ｂが第２ディスク排出検出部２０の上に来たとき、検出信号ＤがＬからＨレベルに変わる（図４（２）参照）。すると、コントロール部２４ＡはステップＳ６７でＹＥＳと判断し、図２のステップＳ４１に進んで、前述と全く同様にしてローディング動作を行わせる。
【００３３】
（２）通常の８ｃｍのシングルＣＤを挿入した場合
クールＣＤ３０を取り出し、代わりに図１に示す８ｃｍのシングルＣＤ３をスロット部４から挿入した場合、（１）と全く同様にしてディスク検出部１３の上に信号記録面領域３０ｂが来てＨレベルの検出信号Ａが入力されると（図１６（１）参照）、ローディング駆動を開始させ、装填完了検出部１６からＨレベルの検出信号Ｂが出力された所でローディング駆動を停止させる（図２のステップＳ４０〜Ｓ４３。図１６（２）参照）。そして、ディスク検出部１３から入力された検出信号Ａをチェックして今回装填されたディスクのサイズを判別し、判別結果をＳＩＺＥ１データとして記憶しておく（ステップＳ４４）。ここでは、ＡがＬレベルとなるのでＳＩＺＥ１データ＝８ｃｍとなる。
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりシングルＣＤ３を先頭から再生させ、最後まで再生が終わるか、ＳＴＯＰキーが押された所で再生を停止させる（ステップＳ４５〜Ｓ４９）。
【００３４】
再生停止後、ユーザがターンテーブル５に装填状態となっているシングルＣＤ３を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまず、その時点でディスク検出部１３から入力された検出信号Ａをチェックして現在装填済のＣＤのサイズを判別し、判別結果をＳＩＺＥ２データとして記憶する（ステップＳ６０）。ここでもＳＩＺＥ２データは８ｃｍとなる（図１６（２）参照）。そして、アンローディング駆動を開始させ（ステップＳ６１）、ローディング動作でターンテーブル５に装填状態とされた直後に判別して記憶しておいたＳＩＺＥ１データとイジェクト操作時に判別したＳＩＺＥ２データの比較を行い（ステップＳ６２、Ｓ６８）、ともに同じ８ｃｍなので、実際のディスクサイズが８ｃｍのシングルＣＤ３であるか、または実際のディスクサイズが１２ｃｍのクールＣＤであるが、外周側の透明領域３０ｄにラベルや絵がなく、ディスク検出不能となっているタイプのクールＣＤ（図１９（１）の符号３０参照）と判断し、小サイズ用の第２ディスク排出検出部２０の検出信号Ｄがディスクが排出位置に来たことを示すＬレベルになるのを待つ（ステップＳ６３）。ＤがＬレベルになったところでディスクの排出完了と判断し（ステップＳ６４。図１７（１）参照）、更に１３０  ｍｓの待ち時間を取ったあと駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ６５、Ｓ６６）。これにより、８ｃｍのシングルＣＤ３に適った排出量を確保でき、スロット部４からほぼ半分を外に出すことができる（図１７（２）参照）。
【００３５】
（３）通常の１２ｃｍのＣＤを挿入した場合
シングルＣＤ３を取り出し、代わりに図１０に示す１２ｃｍの通常のＣＤ２をスロット部４から挿入した場合、ディスク検出部１３の上に信号記録面領域２ｂが来てＨレベルの検出信号Ａが入力されると、ローディング駆動を開始させ（図２のステップＳ４０、Ｓ４１。図１３（１）参照）、装填完了検出部１６からＨレベルの検出信号Ｂが出力された所でローディング駆動を停止させる（ステップＳ４２、Ｓ４３。図１３（２）参照）。そして、ディスク検出部１３から入力された検出信号Ａをチェックして今回装填されたディスクのサイズを判別し、判別結果をＳＩＺＥ１データとして記憶しておく（ステップＳ４４）。ここでは、信号記録面領域２ｂがディスク検出部１３の上に来てＡがＨレベルとなるのでＳＩＺＥ１データ＝１２ｃｍとなる。
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりＣＤ２を先頭から再生させ、最後まで再生が終わるか、ＳＴＯＰキーが押された所で再生を停止させる（ステップＳ４５〜Ｓ４９）。
【００３６】
再生停止後、ユーザがターンテーブル５に装填状態となっているＣＤ２を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまず、その時点でディスク検出部１３から入力された検出信号Ａをチェックして現在装填済のＣＤのサイズを判別し、判別結果をＳＩＺＥ２データとして記憶する（ステップＳ６０）。ここでもＳＩＺＥ２データは１２ｃｍとなる。そして、アンローディング駆動を開始させ、ローティング動作で光ディスクがターンテーブル５に装填状態とされた直後に判別して記憶しておいたＳＩＺＥ１データとイジェクト操作時に判別したＳＩＺＥ２データの比較を行い、ともに同じ１２ｃｍなので、実際のディスクサイズが１２ｃｍで外周側がディスク検出可能な光反射部分となっているＣＤと判断し、大サイズ用の第１ディスク排出検出部１７の検出信号Ｃがディスクが排出位置に来たことを示すＬレベルになるのを待つ（ステップＳ６１、Ｓ６２、Ｓ６８、Ｓ６９）。第１ディスク排出検出部１７の上に信号記録面領域２ｂが無い状態となり、ＣがＬレベルになったところでディスクが排出位置に来たと判断し（ステップＳ６９でＹＥＳ、図１４（１）参照）、更に１３０  ｍｓの待ち時間を取ったあと駆動部１２を制御してローディングモータ１１を停止させ、スロットイン式ローディングメカ部１０のアンローディング駆動を停止させる（ステップＳ６４、Ｓ６５。図１４（２）参照）。これにより、スロット部４から外側へ１２ｃｍのサイズのＣＤ２に適した排出量を確保でき、ユーザが取り出し不能とならない。
【００３７】
（４）外周側の透明領域にはみ出してラベルが貼られたクールＣＤの場合
ユーザが図１９（２）に示すクールＣＤ３１をスロット部４から挿入し、信号記録領域３１ｂまたはラベル３２がディスク検出部１３の上に来て発光素子１４から発射された光が受光素子１５で受光されると、該受光素子１５からディスク在りを示すＨレベルの検出信号Ａが出力される（図２２（１）参照）。コントロール部２４Ａは検出信号ＡがＨレベルに成るとディスクが挿入されたと判断し（図２のステップＳ４０でＹＥＳ）、駆動部１２を制御してローディングモータ１１を一定速度で正転させ、スロットイン式ローディングメカ部１０に対するローディング駆動を開始させ、スロットイン式ローディングメカ部１０のローディング動作を開始させる（ステップＳ４１）。これにより、クールＣＤ３１はスロット部４からターンテーブル５に移動され、中心孔３１ａが凸部６に嵌合して装填状態となる（この際、スロットイン式ローディングメカ部１０に連動した図示しないチャッキングメカ部によりクールＣＤ３１がチャッキングされる）。この後、スロットイン式ローディングメカ部１０のローディング動作に連動して装填完了検出部１６の接点が閉じ、ディスク装填完了を示すＨレベルの検出信号Ｂが出力される。
【００３８】
コントロール部２４Ａは検出信号ＢがＨレベルに成るとディスク装填が完了したと判断し（ステップＳ４２でＹＥＳ）、駆動部１２を制御してローディングモータ１１を停止させ、スロットイン式ローディングメカ部１０のローディング駆動を停止させる（ステップＳ４３）。このとき、ディスク検出部１３から入力された検出信号Ａをチェックして今回装填されたディスクのサイズを判別し、判別結果をＳＩＺＥ１データとして記憶しておく（ステップＳ４４）。ここでは、ラベル３２がディスク検出部１３の上に来ており、発光素子１４から発せられた光がラベル３２の裏面で反射して受光素子１５に入射し、ＡがＨレベルであったのでＳＩＺＥ１データ＝１２ｃｍとなったものとする（図２２（２）参照）。このようにクールＣＤ３１のターンテーブル５への装填が完了したとき、第２ディスク排出検出部２０の真上に信号記録領域３１ｂが来て、発光素子２１から発射された光が受光素子２２で受光され、該受光素子２２からＨレベルの検出信号Ｄが出力される。
【００３９】
このあと、操作部２３でＰＬＡＹキーが押されるとコントロール部２４Ａはスピンドルモータによりターンテーブル５を線速度一定で回転させ、光ピックアップ７、図示しないヘッドアンプ、信号処理部の再生系によりクールＣＤ３１を先頭から再生させ、最後まで再生が終わるか、ＳＴＯＰキーが押された所で再生を停止させる（ステップＳ４５〜Ｓ４９）。
【００４０】
再生停止後、ユーザがターンテーブル５に装填状態となっているクールＣＤ３１を取り出したいとき、操作部２３のイジェクトキーを押し、イジェクト操作を行う。すると、コントロール部２４ＡはステップＳ５０でＹＥＳと判断し、図３のフローへ進む。なお。再生中にイジェクト操作をしたとき、コントロール部２４Ａは再生を停止させたあと図３のフローへ進む（ステップＳ５１、Ｓ５２）。図３のフローでは、コントロール部２４Ａはまず、その時点でディスク検出部１３から入力された検出信号Ａをチェックして現在装填済のＣＤのサイズを判別し、判別結果をＳＩＺＥ２データとして記憶する（ステップＳ６０）。ここでは図５（１）の如くなっていたとすると、ディスク検出部１３の上にラベル３２が無く、ＡがＬレベルなのでＳＩＺＥ２データ＝８ｃｍとなる。ステップＳ６０に続いて、駆動部１２を制御してローディングモータ１１を一定速度で逆転させ、スロットイン式ローディングメカ部１０に対するアンローディング駆動を開始させ、スロットイン式ローディングメカ部１０のアンローディング動作を開始させる（ステップＳ６１）。最初、スロットイン式ローディングメカ部１０のアンローディング動作と連動してチャッキングメカ部によるチャッキングが解除する。続いて、スロットイン式ローディングメカ部１０のアンローディング動作により、クールＣＤ３１が上昇して中心孔３１ａがターンテーブル５の凸部６から外れる（この段階で装填完了検出部１６の接点が開き、検出信号ＢはＬレベルに落ちる）。次に、クールＣＤ３１がスロット部４の方向に真っ直ぐ移動していく。
【００４１】
コントロール部２４ＡはステップＳ６１のあと、ローディング動作でターンテーブル５に装填状態とされた直後に判別して記憶しておいたＳＩＺＥ１データとイジェクト操作時に判別したＳＩＺＥ２データの比較を行い（ステップＳ６２、Ｓ６８）、不一致なので、ディスクサイズは１２ｃｍであるが、外周側にディスク検出可能な光反射部分とディスク検出不能な光透過部分のいずれも存在する異形ディスクと判断し、大サイズ用の第１ディスク排出検出部１７の検出信号Ｃと小サイズ用の第２ディスク排出検出部２０の検出信号Ｄがともにディスクが排出位置に来たことを示すＬレベルになるのを待つ（ステップＳ７０）。ＣとＤがともにＬレベルになったところで規格外の光ディスク用の排出位置に来たと判断し（ステップＳ７０でＹＥＳ、図５（２）参照）、更に１３０  ｍｓの待ち時間を取ったあと駆動部１２を制御してローディングモータ１１を停止させ、スロットイン式ローディングメカ部１０に対するアンローディング駆動を停止させ、スロットイン式ローディングメカ部１０のアンローディング動作を停止させる（ステップＳ６４、Ｓ６５。図６参照）。これにより、少なくともスロット部４から外部へ、前述したクールＣＤ３０の場合と同じ排出量を確保でき、ユーザが取り出し不能となることはない。
【００４２】
なお、ステップＳ６２、Ｓ６８において、ＳＩＺＥ１データが８ｃｍ、ＳＩＺＥ２データが１２ｃｍであったときも同様にステップＳ７０へ進み、ＣとＤがともにＬレベルになったところで規格外の光ディスク用の排出位置に来たと判断し、更に１３０  ｍｓの待ち時間を取ったあと駆動部１２を制御してローディングモータ１１を停止させ、スロットイン式ローディングメカ部１０のアンローディング駆動を停止させる（ステップＳ６４、Ｓ６５）。
【００４３】
若し、ＳＩＺＥ１データとＳＩＺＥ２データがともに８ｃｍとなったときは、コントロール部２４Ａは８ｃｍのシングルＣＤか、またはディスクサイズが１２ｃｍのクールＣＤであるが、外周側の透明領域３０ｄにラベルや絵がなく、ディスク検出不能となっているタイプのクールＣＤと判断し、小サイズ用の第２ディスク排出検出部２０の検出信号Ｄがディスクが排出位置に来たことを示すＬレベルになるのを待つ（ステップＳ６２でＹＥＳ、Ｓ６３）。そして、ＤがＬレベルになったところでディスクが排出位置に来たと判断し、更に１３０  ｍｓの待ち時間を取ったあと駆動部１２を制御してローディングモータ１１を停止させ、スロットイン式ローディングメカ部１０のアンローディング駆動を停止させる（ステップＳ６４、Ｓ６５）。これにより、少なくともスロット部４から外側へ、前述したクールＣＤ３０の場合と同じ量だけ確実に排出でき、ユーザが取り出し不能となることはない。
【００４４】
この実施の形態によれば、コントロール部２４Ａはローディング動作で光ディスクがターンテーブル５に装填状態とされた直後に１回目のディスクサイズの判別をするとともに、イジェクト操作時にまだ光ディスクがターンテーブル５に装填状態となっている時に２回目のディスクサイズ判別をする。そして、２回の判別結果がともに同じで１２ｃｍの大サイズであった場合、通常のＣＤの如く、実際のディスクサイズが１２ｃｍでありかつ外周側がディスク検出可能な反射部分となっていると考えられるので、通常のＣＤ用の第１ディスク排出検出部１７で光ディスクが排出位置に来たことが検出されるとアンローディング動作を停止させることで、スロット部４から外側へ確実に１２ｃｍサイズのＣＤに適した位置まで排出できる。
【００４５】
反対に、２回の判別結果がともに同じ場合にで８ｃｍであった場合、シングルＣＤであるか、または実際のディスクサイズは１２ｃｍであるが外周側がディスク検出不能な光透過部分となっていると考えられるので、シングルＣＤ用の第２ディスク排出検出部２０で光ディスクが排出位置に来たことが検出されるとアンローディング動作を停止させることで、実際のディスクが８ｃｍのシングルＣＤであれば、スロット部４から外側へ、一定の排出量を確保でき、ディスクサイズが１２ｃｍのクールＣＤであってもスロット部４から外側へ、一定の排出量を確保できるのでユーザが取り出し不能となることはない。
【００４６】
これと異なり、２回の判別結果が異なっていた場合、実際のディスクサイズは１２ｃｍであるが外周側にディスク検出可能な光を反射する部分とディスク検出不能な透明部分のいずれも存在する異形ディスクと判断し、１２ｃｍの通常ＣＤ用の第１ディスク排出検出部１７と８ｃｍシングルＣＤ用の第２ディスク排出検出部２０の両方でディスクが排出位置に来たことが検出されるとアンローディング動作を停止させることで、スロット部４から外側へ、一定の排出量を確保できるのでユーザが取り出し不能となることはない。
また、上記した実施の形態では、ディスクサイズの２回の判別を、ディスクがターンテーブル５に装填状態に在る間で最も時間的に離れた時点で行うので、２つの判別時点で光ディスクの向きが変わっている確率が高くなり、２つの判別結果の一致、不一致が光ディスクが規格に則ったディスクか、規格外のディスクかを反映する確率が高くなる。よって、規格外の光ディスクに対して、スロット部４から外側へ、確実に一定の排出量を確保することができる。
【００４７】
なお、図３のフローを図７の如く変形し、ステップＳ６２、Ｓ６８において、ＳＩＺＥ１データとＳＩＺＥ２データが不一致であったとき、まず、所定の一定時間Ｔ（例えば、通常のＣＤ２に対するアンローディング駆動開始から停止までに要する平均的な時間をＴ０  、シングルＣＤ３に対するアンローディング駆動開始から停止までに要する平均的な時間をＴ１  として、Ｔ＝Ｔ０  −１３０  ｍｓまたはＴ＝３Ｔ０  ／４またはＴ＝Ｔ１  −１３０  ｍｓまたはＴ＝（Ｔ０  ＋Ｔ１  ）／２などとする）だけ経過するのを待ち（ステップＳ７１）、しかるのち、ＣとＤがともにＬレベルになったところで規格外の光ディスクが排出位置に来たと判断し（ステップＳ７０）、更に１３０  ｍｓの待ち時間を取ったあと駆動部１２を制御してローディングモータ１１を停止させ、スロットイン式ローディングメカ部１０のアンローディング駆動を停止させるようにしても良い。このようにすれば、規格外の光ディスクに対し最低必要な排出量をより確実に確保することができ、ユーザが取り出し不能となるのを回避できる。
【００４８】
また、図３のフローを図８の如く変形し、ステップＳ６２、Ｓ６８において、ＳＩＺＥ１データとＳＩＺＥ２データが不一致であったとき、まず、所定の一定時間Ｔ´（例えば、通常のＣＤ２に対するアンローディング駆動開始から停止までに要する平均的な時間をＴ０  、シングルＣＤ３に対するアンローディング駆動開始から停止までに要する平均的な時間をＴ１  として、Ｔ´＝Ｔ０  ＋ΔＴまたはＴ´＝Ｔ１  ＋ΔＴまたはＴ´＝（Ｔ０  ＋Ｔ１  ）／２＋ΔＴ。但し、ΔＴは例えば０〜１５０  ｍｓ程度の時間）だけ経過するのを待ち（ステップＳ７２）、しかるのち、ステップＳ６５へ進み、駆動部１２を制御してローディングモータ１１を停止させ、スロットイン式ローディングメカ部１０のアンローディング駆動を停止させるようにしても良い。このようにしても、規格外の光ディスクに対し最低必要な排出量を確実に確保することができ、ユーザが取り出し不能となるのを回避できる。
【００４９】
また、図３のフローを図９の如く変形し、ステップＳ６２、Ｓ６８において、ＳＩＺＥ１データとＳＩＺＥ２データが不一致であったとき、少なくともシングルＣＤと同じ排出量を確保できるようにするため、ステップＳ６３に進み、第２ディスク排出検出部２０の検出信号ＤがＨレベルになるのを待ち、ＤがＬになったところで更に１３０  ｍｓ経過したあと駆動部１２を制御してローディングモータ１１を停止させ、スロットイン式ローディングメカ部１０のアンローディング駆動を停止させるようにしても良い。このようにしても、規格外の光ディスクに対し最低必要な排出量を確実に確保することができ、ユーザが取り出し不能となるのを回避できる。
図３、図７、図８、図９のステップＳ６４の待ち時間は１３０  ｍｓ以外の５０ｍｓ、１００  ｍｓ、１５０  ｍｓなどの時間に設定しても良く、或いはこのステップを省略しても良い。
【００５０】
また、上記した実施の形態では、ディスクサイズの判別を、ローディング動作によりディスクがターンテーブル５に装填状態とされた直後と、イジェクト操作がされた時点で行うようにしたが、本発明は何らこれに限定されず、ディスクがターンテーブル５に装填状態に在る間の適当な時点（例えば、再生開始直前、再生停止直後、再生中など）で複数回判別するようにしても良い。そして、光ディスクの装填状態でイジェクト操作部でイジェクト操作がされると、スロットイン式ローディング部を制御してアンローディング動作を開始させ、複数回の判別サイズがいずれも大のときは第１ディスク排出検出部１７で光ディスクが排出位置に来たことが検出されるとアンローディング動作を停止させ、複数回の判別サイズがいずれも小のときは第２ディスク排出検出部２０で光ディスクが排出位置に来たことが検出されるとアンローディング動作を停止させ、複数回の判別サイズが異なっているときは第３検出部と第４検出部でともに光ディスクが排出位置に来たことが検出されるとアンローディング動作を停止させるようにしても良い。
【００５１】
図７の場合も、ディスクがターンテーブル５に装填状態に在る間の適当な所定時点（例えば、１回目の再生開始直前、１回目の再生停止直後、再生中など）で複数回判別するようにし、そして、光ディスクの装填状態でイジェクト操作部でイジェクト操作がされると、スロットイン式ローディング部を制御してアンローディング動作を開始させ、複数回の判別サイズがいずれも大のときは第１ディスク排出検出部１７で光ディスクが排出位置に来たことが検出されるとアンローディング動作を停止させ、複数回の判別サイズがいずれも小のときは第２ディスク排出検出部２０で光ディスクが排出位置に来たことが検出されるとアンローディング動作を停止させ、複数回の判別サイズが異なっているときは所定の一定時間Ｔだけ経過するのを待ち、しかるのち、第３検出部と第４検出部でともに光ディスクが排出位置に来たことが検出されるとアンローディング動作を停止させるようにしても良い。
【００５２】
図８の場合も、ディスクがターンテーブル５に装填状態に在る間の適当な所定時点（例えば、１回目の再生開始直前、１回目の再生停止直後、再生中など）で複数回判別するようにし、そして、光ディスクの装填状態でイジェクト操作部でイジェクト操作がされると、スロットイン式ローディング部を制御してアンローディング動作を開始させ、複数回の判別サイズがいずれも大のときは第１ディスク排出検出部１７で光ディスクが排出位置に来たことが検出されるとアンローディング動作を停止させ、複数回の判別サイズがいずれも小のときは第２ディスク排出検出部２０で光ディスクが排出位置に来たことが検出されるとアンローディング動作を停止させ、複数回の判別サイズが異なっているときは所定の一定時間Ｔ´だけ経過するのを待ち、しかるのち、アンローディング動作を停止させるようにしても良い。
【００５３】
図９の場合も、ディスクがターンテーブル５に装填状態に在る間の適当な所定時点（例えば、１回目の再生開始直前、１回目の再生停止直後、再生中など）で複数回判別するようにし、そして、光ディスクの装填状態でイジェクト操作部でイジェクト操作がされると、スロットイン式ローディング部を制御してアンローディング動作を開始させ、複数回の判別サイズがいずれも大のときは第１ディスク排出検出部１７で光ディスクが排出位置に来たことが検出されるとアンローディング動作を停止させ、複数回の判別サイズがいずれも小のときと複数回の判別サイズが異なっているときは第２ディスク排出検出部２０で光ディスクが排出位置に来たことが検出されるとアンローディング動作を停止させるようにしても良い。
【００５４】
【発明の効果】
本発明によれば、規格と異なる光ディスクであっても、確実に外部に排出することができ、取り出しづらくなる不便を回避できる。
【図面の簡単な説明】
【図１】本発明の一つの実施の形態に係るスロットイン式ＣＤプレーヤの構成図である。
【図２】図１中のコントロール部の制御処理を示すフローチャートである。
【図３】図１中のコントロール部の制御処理を示すフローチャートである。
【図４】図１のローディング／アンローディング動作の説明図である。
【図５】図１のローディング／アンローディング動作の説明図である。
【図６】図１のローディング／アンローディング動作の説明図である。
【図７】図３の変形例に係るフローチャートである。
【図８】図３の変形例に係るフローチャートである。
【図９】図３の変形例に係るフローチャートである。
【図１０】従来のスロットイン式ＣＤプレーヤの構成図である。
【図１１】図１０中のコントロール部の制御処理を示すフローチャートである。
【図１２】図１０中のコントロール部の制御処理を示すフローチャートである。
【図１３】図１０のローディング／アンローディング動作の説明図である。
【図１４】図１０のローディング／アンローディング動作の説明図である。
【図１５】図１０のローディング／アンローディング動作の説明図である。
【図１６】図１０のローディング／アンローディング動作の説明図である。
【図１７】図１０のローディング／アンローディング動作の説明図である。
【図１８】図１０のローディング／アンローディング動作の説明図である。
【図１９】規格と異なるタイプのＣＤの外観図である。
【図２０】図１０のローディング／アンローディング動作の説明図である。
【図２１】図１０のローディング／アンローディング動作の説明図である。
【図２２】図１０のローディング／アンローディング動作の説明図である。
【図２３】図１０のローディング／アンローディング動作の説明図である。
【符号の説明】
２  ＣＤ                          ２ａ、３ａ、３０ａ、３１ａ  中心孔
２ｂ、３ｂ、３０ｂ、３１ｂ  信号記録面領域
２ｃ、２ｄ、３ｃ、３ｄ、３０ｃ、３０ｄ、３１ｃ、３１ｄ  透明領域
３  シングルＣＤ                  ４  スロット部
５  ターンテーブル                ６  凸部
１０  スロットイン式ローディングメカ部
１１  ローディングモータ          １２  駆動部
１３  ディスク検出部              １４、１８、２１  発光素子
１５、１９、２２  受光素子        １６  装填完了検出部
１７  第１ディスク排出検出部    ２０  第２ディスク排出検出部
２３  操作部                      ２４Ａ  コントロール部
【図１】
0003567275.tif 000002
【図２】
0003567275.tif 000003
【図３】
0003567275.tif 000004
【図４】
0003567275.tif 000005
【図５】
0003567275.tif 000006
【図６】
0003567275.tif 000007
【図７】
0003567275.tif 000008
【図８】
0003567275.tif 000009
【図９】
0003567275.tif 000010
【図１０】
0003567275.tif 000011
【図１１】
0003567275.tif 000012
【図１２】
0003567275.tif 000013
【図１３】
0003567275.tif 000014
【図１４】
0003567275.tif 000015
【図１５】
0003567275.tif 000016
【図１６】
0003567275.tif 000017
【図１７】
0003567275.tif 000018
【図１８】
0003567275.tif 000019
【図１９】
0003567275.tif 000020
【図２０】
0003567275.tif 000021
【図２１】
0003567275.tif 000022
【図２２】
0003567275.tif 000023
【図２３】
0003567275.tif 000024